(57)【要約】【課題】  チャタリングの発生を防止でき、しかも強度の向上も図る。【解決手段】  可動接点３５の第４の接点部４９は、それぞれ両端が可動接点本体４５に連結されてほぼＵ字状をなし、小のものを大のものが取り囲むように形成された第１及び第２のＵ字状接点部５１，５２を備えた構成とする。これら第１及び第２のＵ字状接点部５１，５２を、これらＵ字状接点部の先端部における凸部５１ａ，５２ａの並び方向（Ｅ１，Ｅ２方向）に対して交差する方向（Ｄ１，Ｄ２方向）へスライド移動させることにより、各Ｕ字状接点部５１，５２の凸部５１ａ，５２ａを固定接点に対し接離させてスイッチを切り替える構成とする。第１及び第２のＵ字状接点部５１，５２は、両端が可動接点本体４５に連結されていて、矢印Ｄ１，Ｄ２方向への動きに対して強い。【選択図】  図１
2006086074.tif 000002
【特許請求の範囲】
【請求項１】
それぞれ両端が可動接点本体に連結されてほぼＵ字状をなし、小のものを大のものが取り囲むように形成された複数のＵ字状接点部を備え、
前記複数のＵ字状接点部を、これらＵ字状接点部の先端部の並び方向に対して交差する方向へスライド移動させることにより、各Ｕ字状接点部の先端部を固定接点に対し接離させてスイッチを切り替える構成としたことを特徴とするスライドスイッチの可動接点。
【発明の詳細な説明】
【技術分野】
【０００１】
本発明は、スライド移動させることにより、接点部の先端部を固定接点に対し接離させてスイッチを切り替える構成としたスライドスイッチの可動接点に関する。
【背景技術】
【０００２】
例えば車両用のレバースイッチ装置においては、交差する２方向に回動操作可能に設けられた操作レバーの操作に伴い操作されるスライドスイッチが設けられている。このスライドスイッチは、基板に設けられた複数の固定接点と、操作レバーの操作に伴い前記基板上を摺動して前記固定接点に対して接離する、例えば十字状をなす板ばね製の可動接点とを有する構成となっている（例えば、特許文献１参照）。この種の可動接点は、４方向に延びる接点部を有していて、各接点部の先端部が上記固定接点に対して接離することによりスイッチが切り替えられる構成となっている。
【特許文献１】特開２０００−２０８００３号公報（図３）
【発明の開示】
【発明が解決しようとする課題】
【０００３】
ところで、この種のスライドスイッチにおいては、チャタリング対策として、図７に示すように、可動接点１の接点部２を、当該接点部２の延び方向に延びるスリット３により２個に分割し、２個の分割接点部４を有する構成とすることが考えられている。なお、チャタリングとは、振動などにより可動接点の接点部が固定接点に対して短時間の間に接触したり離間したりする現象をいう。図７のような構成とした場合、接点部２としては、２個の分割接点部４に分割されているため、分割された２個の分割接点部４に同時にチャタリングが発生することを極力防止できるようになる。
【０００４】
しかしながら、上記構成のものの場合、接点部２が２個に分離されているため、各分割接点部４が細くて強度的に弱く、また、特に２個の分割接点部４の並び方向である矢印Ａ１方向へスライド移動する際に、分割接点部４の先端部が基板の上面と固定接点との境界部の微小な段差に引っ掛かって変形し易いという欠点がある。
本発明は上記事情に鑑みてなされたものであり、その目的は、チャタリングの発生を防止でき、しかも強度の向上も図り得るスライドスイッチの可動接点を提供するにある。
【課題を解決するための手段】
【０００５】
上記の目的を達成するために、本発明のスライドスイッチの可動接点は、それぞれ両端が可動接点本体に連結されてほぼＵ字状をなし、小のものを大のものが取り囲むように形成された複数のＵ字状接点部を備え、前記複数のＵ字状接点部を、これらＵ字状接点部の先端部の並び方向に対して交差する方向へスライド移動させることにより、各Ｕ字状接点部の先端部を固定接点に対し接離させてスイッチを切り替える構成としたことを特徴とする。
【発明の効果】
【０００６】
上記した発明によれば、可動接点の接点部が、複数のＵ字状接点部に分離されているので、それらＵ字状接点部を、これらＵ字状接点部の先端部の並び方向に対して交差する方向へスライド移動させる場合には、チャタリングの発生を防止することができる。また、各Ｕ字状接点部は、両端が可動接点本体に連結されているため強度的に強い。特に、Ｕ字状接点部の先端部の並び方向に対して交差する方向への移動に対して強い。
【発明を実施するための最良の形態】
【０００７】
以下、本発明を車両のレバースイッチ装置に適用した一実施例について図１ないし図６を参照して説明する。
まず、図２及び図３において、このレバースイッチ装置は、この場合ワイパ及びウォッシャ操作用のスイッチ装置である。スイッチケース１１は、ベース１２とカバー１３とを組み合わせることによって構成されている。このスイッチケース１１内には、ブラケット１４が軸１５を中心に回動可能に設けられている。また、ブラケット１４内には、操作レバー１６の一端部が挿入され、そのブラケット１４に上記軸１５に対して交差する軸１７により回動可能に取り付けられている。操作レバー１６の他端部は図２及び図３中、左方向へ突出している。ここで、操作レバー１６は、上記ブラケット１４と共に軸１５を中心に図２中矢印Ｂ１及びＢ２方向へ回動操作可能であると共に、ブラケット１４とは別に軸１７を中心にして図３中矢印Ｃ１及びＣ２方向へ回動操作可能な構成となっている。
【０００８】
ブラケット１４の先端部には、圧縮コイルばね１８及びこの圧縮コイルばね１８により突出方向へ付勢された節度ピース１９が設けられていて、この節度ピース１９の先端部が、上記ベース１２に設けられた節度壁２０に当接している。節度壁２０には、４箇所の節度用凹部２１ａ〜２１ｄと、ミスト用斜面２１ｅとを有している。これら圧縮コイルばね１８、節度ピース１９、及び節度壁２０により、第１の節度機構２２を構成している。
【０００９】
上記操作レバー１６の一端部にも、圧縮コイルばね２３及びこの圧縮コイルばね２３により突出方向へ付勢された節度ピース２４が設けられていて、この節度ピース２４の先端部が、上記ブラケット１４の内部に設けられた節度面２５に当接している。節度面２５には、節度用凹部２５ａとウォッシャ用斜面２５ｂを有している。これら圧縮コイルばね２３、節度ピース２４、及び節度面２５により、第２の節度機構２６を構成している。
【００１０】
上記ベース１２の下面側には回路基板２７が設けられていて、この回路基板２７の上面とベース１２の下面との間に形成された収容部２８にコンタクトホルダ２９が摺動可能に収容されている。コンタクトホルダ２９の上面にはアーム３０が突設されていて、このアーム３０が、ベース１２に形成された開口部３１を通してブラケット１４内に挿入され、上記操作レバー１６に係合している。
【００１１】
コンタクトホルダ２９の下面には、十字状をなす板ばね製の可動接点３５が取り付けられている。上記回路基板２７の上面には、図４に示すように、左側に第１の固定接点３６が設けられ、左右の中間部に第２〜第４の固定接点３７〜３９が設けられ、右側に第５〜第７の固定接点４０〜４２が設けられている。この場合、第１の固定接点３６はウォッシャ用、第２の固定接点３７はＯＦＦ用、第３の固定接点３８はＬＯ用、第４の固定接点３９はアース用、第５の固定接点４０はＭＩＳＴ用、第６の固定接点４１はＩＮＴ用、第７の固定接点４２はＨＩ用に設定されている。ここで、可動接点３５と、第１〜第７の固定接点３６〜４２によりスライドスイッチを構成している。
【００１２】
さて、可動接点３５について詳述する。この可動接点３５は、図４〜図６に示すように可動接点本体４５から４方向に突出する第１〜第４の接点部４６〜４９を一体に有していて、中央部が上記コンタクトホルダ２９の下面に固定されている。第１〜第４の接点部４６〜４９は、可動接点本体４５からそれぞれ斜め下方に延びていて、先端部が上記回路基板２７の上面に摺動可能に接触している。
【００１３】
第１〜第４の接点部４６〜４９のうち、図４中左方向へ突出する第１の接点部４６と、同図４中下方及び上方へ突出する第２及び第３の接点部４７，４８は、それぞれの接点部の延び方向へ延びるスリット５０により２個ずつの分割接点部４６ａ，４７ａ，４８ａに分割されていて、各分割接点部４６ａ，４７ａ，４８ａの先端部が回路基板２７側に付勢されて接触している。
【００１４】
そして、図４中右方向へ突出する第４の接点部４９は、図１に示すように、Ｕ字状をなす第１のＵ字状接点部５１と、この第１のＵ字状接点部５１の外側に当該第１のＵ字状接点部より大きなＵ字状でそれを取り囲むように設けられた第２のＵ字状接点部５２とを有する構成となっている。第１及び第２のＵ字状接点部５１，５２は、それぞれ両端部が可動接点本体４５に一体に連結されている。第１のＵ字状接点部５１の内側にはスリット５３が形成され、また、第１のＵ字状接点部５１と第２のＵ字状接点部５２との間には、Ｕ字状のスリット５４が形成されている。第１及び第２のＵ字状接点部５１，５２の先端部には、下方（回路基板２７側）へ突出する円弧状の凸部５１ａ，５２ａが一体に形成されていて、これら凸部５１ａ，５２ａが回路基板２７側に付勢されて接触している。
【００１５】
次に上記構成の作用を説明する。
図２及び図３は操作レバー１６が「ＯＦＦ」位置に位置された状態が示されている。この状態では、第１の節度機構２２の節度ピース１９は、節度壁２０の節度用凹部２１ａに入り込んでいると共に、第２の節度機構２６の節度ピース２４は、節度面２５の節度用凹部２５ａに入り込んでいる。またこの状態では、可動接点３５は、図４に示す位置に位置されている。具体的は、第１の接点部４６における両分割接点部４６ａの先端部は第１の固定接点３６に対して右側に離間して位置し、第２の接点部４７における両分割接点部４７ａの先端部は第２の固定接点３７に接触し、第３の接点部４８における両分割接点部４８ａの先端部は第３の固定接点３８に接触し、第４の接点部４９における第１及び第２のＵ字状接点部５１，５２の凸部５１ａ，５２ａは、第５の固定接点４０と第６の固定接点４１との間にそれらから離間して位置している。この状態では、スイッチとしては「ＯＦＦ」状態である。
【００１６】
この「ＯＦＦ」状態から、操作レバー１６を矢印Ｂ１方向へ１段回動させ、「ＩＮＴ」位置へ位置させると、ブラケット１４の先端側が軸１５を中心に矢印Ｄ１方向へ回動し、第１の節度機構２２の節度ピース１９が、節度壁２０の節度用凹部２１ｂに入り込むようになる。これに伴い、可動接点３５がコンタクトホルダ２９と共に同矢印Ｄ１方向へスライド移動し、可動接点３５の各接点部４６〜４９が回路基板２７上を同矢印Ｄ１方向へ摺動する。すると、可動接点３５の第１の接点部４６における両分割接点部４６ａの先端部は第１の固定接点３６に対して右側に離間した状態で位置し、第２の接点部４７における両分割接点部４７ａの先端部は第２の固定接点３７から離間して第２の固定接点３７と第３の固定接点３８との間に位置し、第３の接点部４８における両分割接点部４８ａの先端部は第３の固定接点３８に接触した状態で位置し、第４の接点部４９における第１及び第２のＵ字状接点部５１，５２の凸部５１ａ，５２ａは、第６の固定接点４１に接触するようになる。この状態では、スイッチとしては「ＩＮＴ」状態（インターバルスイッチがオン状態）となり、図示しないワイパが間欠運転される。
【００１７】
この「ＩＮＴ」状態から、操作レバー１６を矢印Ｂ１方向へさらに１段回動させ、「ＬＯ」位置へ位置させると、上述と同様にして、第１の節度機構２２の節度ピース１９が、節度壁２０の節度用凹部２１ｃに入り込むようになると共に、可動接点３５がコンタクトホルダ２９と共に同矢印Ｄ１方向へスライド移動する。すると、可動接点３５の第１の接点部４６における両分割接点部４６ａの先端部は第１の固定接点３６に対して右側に離間した状態で位置し、第２の接点部４７における両分割接点部４７ａの先端部は第３の固定接点３８に接触し、第３の接点部４８における両分割接点部４８ａの先端部は第３の固定接点３８に接触した状態で位置し、第４の接点部４９における第１及び第２のＵ字状接点部５１，５２の凸部５１ａ，５２ａは、第６の固定接点４１から離間して第６の固定接点４１と第７の固定接点４２との間に位置するようになる。この状態では、スイッチとしては「ＬＯ」状態となり、ワイパが低速度で連続運転される。
【００１８】
この「ＬＯ」状態から、操作レバー１６を矢印Ｂ１方向へさらに１段回動させ、「ＨＩ」位置へ位置させると、第１の節度機構２２の節度ピース１９が、節度壁２０の節度用凹部２１ｄに入り込むようになると共に、可動接点３５がコンタクトホルダ２９と共に同矢印Ｄ１方向へスライド移動する。すると、可動接点３５の第１の接点部４６における両分割接点部４６ａの先端部は第１の固定接点３６に対して右側に離間した状態で位置し、第２の接点部４７における両分割接点部４７ａの先端部は第３の固定接点３８から離間して第３の固定接点３８と第４の固定接点３９との間に位置し、第３の接点部４８における両分割接点部４８ａの先端部は第３の固定接点３８に接触した状態で位置し、第４の接点部４９における第１及び第２のＵ字状接点部５１，５２の凸部５１ａ，５２ａは、第７の固定接点４２に接触するようになる。この状態では、スイッチとしては「ＨＩ」状態となり、ワイパが高速度で連続運転される。
【００１９】
なお、操作レバー１６を「ＨＩ」位置から矢印Ｂ１とは反対の矢印Ｂ２方向へ回動させた場合には、上記の動作と逆の動きとなる。
操作レバー１６を上記「ＯＦＦ」位置に位置させた状態（図２の状態）で、操作レバー１６を矢印Ｂ２方向へ回動させた場合には、第１の節度機構２２の節度ピース１９が、矢印Ｄ２方向へ移動して節度壁２０のミスト用斜面２１ｅを上るようになる。すると、可動接点３５の第１の接点部４６における両分割接点部４６ａの先端部は第１の固定接点３６に対して右側に離間して位置し、第２の接点部４７における両分割接点部４７ａの先端部は第２の固定接点３７から離間し、第３の接点部４８における両分割接点部４８ａの先端部は第３の固定接点３８に接触し、第４の接点部４９における第１及び第２のＵ字状接点部５１，５２の凸部５１ａ，５２ａは、第５の固定接点４０に接触するようになる。この状態では、スイッチとしては「ＭＩＳＴ」状態となり、操作レバー１６を「ＭＩＳＴ」位置に保持している間、ワイパが運転される。
【００２０】
この場合、操作レバー１６に対する操作力を解除すると、第１の節度機構２２の節度ピース１９が、節度壁２０のミスト用斜面２１ｅを下り、節度用凹部２１ａに入り込むようなり、図２の「ＯＦＦ」位置へ自動的に戻される。
一方、上記した各位置（「ＯＦＦ」、「ＩＮＴ」、「ＬＯ」、「ＨＩ」位置）において、操作レバー１６を手前に引いて図３の矢印Ｃ１方向へ回動させると、第２の節度機構２６における節度ピース２４が節度面２５のウォッシャ用斜面２５ｂを上ると共に、アーム３０を介してコンタクトホルダ２９が、図３及び図４の矢印Ｅ１方向へ移動する。すると、可動接点３５の第１の接点部４６における両分割接点部４６ａの先端部が第１の固定接点３６に接触するようになる。なお、第２〜第４の接点部４７〜４９の状態は、元の状態と変わらない。この状態では、スイッチとしては「ウォッシャ」状態となり、ウォッシャが動作する。
【００２１】
この場合、操作レバー１６に対する操作力を解除すると、第２の節度機構２６の節度ピース２４が、節度面２５のウォッシャ用斜面２５ｂを下り、節度用凹部２５ａに入り込むようなり、図２の「ＯＦＦ」位置に自動的に戻される。可動接点３５も矢印Ｅ１とは反対のＥ２方向へ移動して戻される。
上記した実施例においては、可動接点３５の第４の接点部４９は、それぞれ両端が可動接点本体４５に連結されてほぼＵ字状をなし、小のものを大のものが取り囲むように形成された第１及び第２のＵ字状接点部５１，５２を備え、これら第１及び第２のＵ字状接点部５１，５２を、これらＵ字状接点部の先端部における凸部５１ａ，５２ａの並び方向（Ｅ１，Ｅ２方向）に対して交差する方向（Ｄ１，Ｄ２方向）へスライド移動させることにより、各Ｕ字状接点部５１，５２の凸部５１ａ，５２ａを固定接点４０〜４２に対し接離させてスイッチを切り替える構成としている。
【００２２】
このため、可動接点３５の第４の接点部４９を、これらの先端部の凸部５１ａ，５２ａの並び方向に対して交差する方向へスライド移動させる場合には、チャタリングの発生を効果的に防止することができる。また、第４の接点部４９における第１及び第２のＵ字状接点部５１，５２は、両端が可動接点本体３５に連結されているため強度的に強い。特に、第１及び第２のＵ字状接点部５１，５２を、これの先端部（凸部５１ａ，５２ａ）の並び方向に対して交差する方向への移動させる場合には、回路基板２７上において固定接点とそれ以外の部分での微小な段差があったとしても、第１及び第２のＵ字状接点部５１，５２がその段差に引っ掛かり難く、その方向への移動に対して特に強くなる。
【００２３】
なお、可動接点３５における第１の接点部４６は、スリット５０により２個の分離接点部４６ａに分離されているため、チャタリングに対して有効である。この場合、２個の分離接点部４６ａの先端部の並び方向（矢印Ｄ１，Ｄ２方向）への移動については、スイッチの切替に関係がなく、段差に引っ掛かることがないため、強度的に特に問題はない。また、２個の分離接点部４６ａの先端部の並び方向と交差する方向（矢印Ｅ１，Ｅ２方向）への移動については、段差があっても引っ掛かり難く、強度的に特に問題はない。
【００２４】
また、可動接点３５における第２の接点部４７も、スリット５０により２個の分離接点部４７ａに分離されているため、チャタリングに対して有効である。この場合も、２個の分離接点部４７ａの先端部の並び方向（矢印Ｅ１，Ｅ２方向）への移動については、スイッチの切替に関係がなく、段差に引っ掛かることがないため、強度的に特に問題はない。また、２個の分離接点部４７ａの先端部の並び方向と交差する方向（矢印Ｄ１，Ｄ２方向）への移動については、段差があっても引っ掛かり難く、強度的に特に問題はない。
【００２５】
さらに、可動接点３５における第３の接点部４８も、スリット５０により２個の分離接点部４８ａに分離されているため、チャタリングに対して有効である。この場合、２個の分離接点部４８ａの先端部の並び方向（矢印Ｅ１，Ｅ２方向）への移動に対しても、また、その並び方向と交差する方向（矢印Ｄ１，Ｄ２方向）への移動に対しても、スイッチの切替に関係がないため（段差に引っ掛かることがないため）、強度的に特に問題はない。
【００２６】
本発明は、上記した実施例にのみ限定されるものではなく、次のように変形または拡張できる。
可動接点３５としては、十字状をなすもの以外であってもよい。
【図面の簡単な説明】
【００２７】
【図１】本発明の一実施例を示す主要部の斜視図
【図２】レバースイッチ装置の破断平面図
【図３】図２のＸ−Ｘ線に沿う縦断側面図
【図４】要部の平面図
【図５】図４において矢印イ方向から見た図
【図６】図４において矢印ロ方向から見た図
【図７】従来例を示す図１相当図
【符号の説明】
【００２８】
図面中、１４はブラケット、１６は操作レバー、２７は回路基板、２９はコンタクトホルダ、３５は可動接点、３６〜４２は第１〜第７の固定接点、４６〜４９は第１〜第４の接点部、５１は第１のＵ字状接点部、５２は第２のＵ字状接点部を示す。
【図１】
2006086074.tif 000003
【図２】
2006086074.tif 000004
【図３】
2006086074.tif 000005
【図４】
2006086074.tif 000006
【図５】
2006086074.tif 000007
【図６】
2006086074.tif 000008
【図７】
2006086074.tif 000009